(57)【要約】【課題】  より大きな食材を収容することができる収容装置を提供する。【解決手段】  上側に開口を有すると共に、該開口の外側に係合縁が設けられるケース本体と、ベースを有し、該ベースの中央に中空部が形成されると共に、外側に前記ケース本体の係合縁と対応する係合部が設けられ、内側に上方へ向かって湾曲する延出部が設けられる蓋と、前記蓋の中空部を封止する食品用ラップと、を備えることを特徴とする。【選択図】  図１
0003113951.tif 000002
【実用新案登録請求の範囲】
【請求項１】
上側に開口を有すると共に、該開口の外側に係合縁が設けられるケース本体と、
ベースを有し、該ベースの中央に中空部が形成されると共に、外側に前記ケース本体の係合縁と対応する係合部が設けられ、内側に上方へ向かって湾曲する延出部が設けられる蓋と、
前記蓋の中空部を封止する食品用ラップと、
を備えることを特徴とする収容装置。
【請求項２】
前記蓋はリング状であり、前記係合部は、ベースの外周縁から外側へ伸びだすプレートであり、該プレートに中空部へ向かって突出する係合凸部が設けられることにより、該係合凸部とベースとの間に係合縁を係合する係合溝が形成され、前記延出部に複数の補強リブが設けられ、ベースにケース本体の係合縁に対応する湾曲部が設けられることを特徴とする請求項１に記載の収容装置。
【請求項３】
前記蓋はケース本体の係合縁に対応する二つの半円形蓋部材からなり、前記係合部は、該蓋部材のベースの外周縁から外側へ伸びだすプレートであり、該プレートに中空部へ向かって突出する係合凸部が設けられることにより、該係合凸部とベースとの間に係合縁を係合する係合溝が形成される、前記延出部に複数の補強リブが設けられ、ベースにケース本体の係合縁に対応する湾曲部が設けられることを特徴とする請求項１に記載の収容装置。
【考案の詳細な説明】
【技術分野】
【０００１】
本考案は、特により大きな食材を収容することができる収容装置に関するものである。
【背景技術】
【０００２】
野菜や肉などの食材を包装する従来の収容装置は、図８に示すように、上側に開口を有する紙製又はプラスチック製のケース本体（７０）を有し、該ケース本体（７０）の開口に収容した食材が包覆される食品用ラップ（７１）が設けられることにより、食材の脱落や塵埃などの汚れ物によって食材を汚染することを防止する。
【考案の開示】
【考案が解決しようとする課題】
【０００３】
しかしながら、従来の収容部材はケース本体（７０）の深さが浅いので、食材を収容して食品用ラップ（７１）を設置した後、食材の位置決め効果が優れない。又、従来のケース本体（７０）によって大きな食材を収容し難しいので、実用性に優れない。 
そこで、案出されたのが本考案であって、より大きな食材を収容することができる収容装置を提供することを目的としている。
【課題を解決するための手段】
【０００４】
本願の請求項１の考案は、上側に開口を有すると共に、該開口の外側に係合縁が設けられるケース本体と、ベースを有し、該ベースの中央に中空部が形成されると共に、外側に前記ケース本体の係合縁と対応する係合部が設けられ、内側に上方へ向かって湾曲する延出部が設けられる蓋と、前記蓋の中空部を封止する食品用ラップと、を備えることを特徴とする収容装置、を提供する。 
本願の請求項２の考案は、前記蓋はリング状であり、前記係合部は、ベースの外周縁から外側へ伸びだすプレートであり、該プレートに中空部へ向かって突出する係合凸部が設けられることにより、該係合凸部とベースとの間に係合縁を係合する係合溝が形成され、前記延出部に複数の補強リブが設けられ、ベースにケース本体の係合縁に対応する湾曲部が設けられることを特徴とする請求項１に記載の収容装置、を提供する。 
本願の請求項３の考案は、前記蓋はケース本体の係合縁に対応する二つの半円形蓋部材からなり、前記係合部は、該蓋部材のベースの外周縁から外側へ伸びだすプレートであり、該プレートに中空部へ向かって突出する係合凸部が設けられることにより、該係合凸部とベースとの間に係合縁を係合する係合溝が形成される、前記延出部に複数の補強リブが設けられ、ベースにケース本体の係合縁に対応する湾曲部が設けられることを特徴とする請求項１に記載の収容装置、を提供する。
【考案の効果】
【０００５】
本考案は上記の課題を解決するものであり、ケース本体の開口に設けられる蓋の延出部によってケース本体の収容空間を拡大すると共に、蓋によって食材の位置決め効果を向上する。又、蓋をケース本体に設置した後、食品用ラップを該蓋に設置することにより、食材の脱落を防止することができる。
【考案を実施するための最良の形態】
【０００６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。 
図１は本考案に係る収容装置の第１実施例を示す分解斜視図であり、図２は本考案に係る収容装置の第１実施例を示す部分斜視図であり、図３は本考案に係る収容装置の第１実施例を示す部分断面図であり、図４は本考案に係る収容装置の第１実施例の使用状態を示す斜視図であり、図５は本考案に係る収容装置の第２実施例を示す部分分解斜視図であり、図６は本考案に係る収容装置の第３実施例を示す斜視図であり、図７は本考案に係る収容装置の蓋の製造過程を示す図である。 
図１、図２及び図５に示すように、本考案に係る収容装置は、ケース本体（１０）と、蓋（２０）（３０）と、食品用ラップ（２５）と、を備え、該ケース本体（１０）は上側に開口を有する紙製又はプラスチック製のケースであり、該開口の外側に係合縁（１１）が設けられ、該蓋（２０）（３０）は該係合縁（１１）と係合する。 
又、図１乃至図３に示すように、本考案に係る収容装置の第１実施例において、該蓋（２０）はリング状ベース（２１）を有し、該ベース（２１）の中央に中空部（２２）が形成されると共に、外側にケース本体（１０）の係合縁（１１）と対応する係合部（２３）が設けられる。本実施例において、該係合縁（１１）は、ケース本体（１０）の開口から外側へ伸びだすプレートであり、該蓋（２０）の係合部（２３）は、ベース（２１）の外周縁から外側へ伸びだすプレートであり、該プレートに中空部（２２）へ向かって突出する係合凸部（２３０）が設けられることにより、該係合凸部（２３０）とベース（２１）との間に係合縁（１１）を係合する係合溝（２３１）が形成される。 
又、前記ベース（２１）の内側に上方へ向かって湾曲する延出部（２４）が設けられ、蓋（２０）をケース本体（１０）に設置する場合、該延出部（２４）によって蓋（２０）とケース本体（１０）との間における収容空間を拡大することができる。又、該延出部（２４）に複数の補強リブ（２４０）が設けられる。図３に示すように、前記ベース（２１）にケース本体（１０）の係合縁（１１）に対応する湾曲部（２１０）が設けられることにより、係合縁（１１）を該湾曲部（２１０）と係合凸部（２３０）との間に位置決める。 
前記第１実施例によれば、該延出部（２４）によってケース本体（１０）の収容空間を拡大できると共に、蓋（２０）によって食材の位置決め効果を向上することができる。又、図４に示すように、蓋（１０）をケース本体（１０）に設置した後、食品用ラップ（２５）によって該蓋（２０）の中空部（２２）を封止させることにより、食材の脱落を防止する。 
図５に示すように、本考案に係る収容装置の第２実施例は、前記第１実施例と殆ど等しく、異なるのは、該蓋（３０）はケース本体（１０）の係合縁（１１）に対応する二つの半円形蓋部材（３００）からなり、該蓋部材（３００）はベース（３１）を有し、基盤（３１）に中空部（３２）、係合部（３３）、延出部（３４）及び補強リブ（３４０）が設けられ、該実施例の蓋（３０）は全ての係合縁と係合しないが、該上方へ突出する延出部（３４）と該蓋部材（３００）に設置する食品用ラップ（２５）により、前記実施例と等しい効果を達成できる。 
又、図６に示すように、本考案に係る収容装置の第３実施例は、前記第１実施例と殆ど等しく、異なるのは、該蓋（５３）とケース本体（５０）は一体形成とし、該ケース本体（５０）の周縁に係合縁（５１）が設けられ、該係合縁（５１）と蓋（５３）との対応側に連結部（５２）が設けられることにより、該連結部（５２）を回転中心として蓋（５３）を開閉することができる。 
又、本考案に係る収容装置の蓋の製造過程について説明する。図７に示すように、先ず内側に位置する内蓋（６１）と外側に位置する外蓋（６０）を有する蓋（６）が形成され、該内蓋（６１）と外蓋（６０）に夫々上方へ湾曲する延出部（６１１）（６０１）が設けられ、該内蓋（６１）を外蓋（６０）から切取ることにより、中央に中空部（６０２）が形成される外蓋（６０）を形成し、又、内蓋（６１）の中央に中空部を形成してもよい。又、該分離した内蓋（６１）と外蓋（６０）は中央に沿って切ることにより、前記第２実施例のように夫々二つの半円形蓋部材が形成されることができる。この方法によれば、同時に異なるサイズを有する蓋を製造することができるので、製造コストを下げることができる。
【産業上の利用可能性】
【０００７】
本考案は上記の構成を有するので、ケース本体の開口に設けられる蓋の延出部によってケース本体の収容空間を拡大すると共に、蓋によって食材の位置決め効果を向上する。又、蓋をケース本体に設置した後、食品用ラップを該蓋に設置することにより、食材の脱落を防止することができる。
【図面の簡単な説明】
【０００８】
【図１】本考案に係る収容装置の第１実施例を示す分解斜視図である。
【図２】本考案に係る収容装置の第１実施例を示す部分斜視図である。
【図３】本考案に係る収容装置の第１実施例を示す部分断面図である。
【図４】本考案に係る収容装置の第１実施例の使用状態を示す斜視図である。
【図５】本考案に係る収容装置の第２実施例を示す部分分解斜視図である。
【図６】本考案に係る収容装置の第３実施例を示す斜視図である。
【図７】本考案に係る収容装置の蓋の製造過程を示す図である。
【図８】従来の収容装置の使用状態を示す斜視図である。
【符号の説明】
【０００９】
１０        ケース本体
１１        係合縁
２０        蓋
２１        ベース
２１０      湾曲部
２２        中空部
２３        係合部
２３０      係合凸部
２３１      係合溝
２４        延出部
２４０      補強リブ
２５        食品用ラップ
３０        蓋
３１        ベース
３２        中空部
３３        係合部
３４        延出部
３４０      補強リブ
５０        ケース本体
５１        係合縁
５２        連結部
５３        蓋
６          蓋
６０        外蓋
６００      外蓋
６０１      延出部
６０２      中空部
６１        内蓋
６１０      内蓋
６１１      延出部
７０        収容ケース
７１        食品用ラップ
【図１】
0003113951.tif 000003
【図２】
0003113951.tif 000004
【図３】
0003113951.tif 000005
【図４】
0003113951.tif 000006
【図５】
0003113951.tif 000007
【図６】
0003113951.tif 000008
【図７】
0003113951.tif 000009
【図８】
0003113951.tif 000010